(57)【要約】【課題】  生産性の向上を図った上で、安定した被収納物の収納状態を得ることができるようにする。【解決手段】  段ボール箱１０は、六角筒部１１と、該六角筒部１１の下部の開口が閉止されることによって形成される底板１２と、同他方の開口を開閉自在に閉止する蓋体１３とを備えて構成され、段ボール箱１０の展開紙２０は、複数本の縦折り線２１に沿って環状に折り曲げることで六角筒部１１を形成する帯状部３０と、この帯状部３０の一方の側縁部から外方に向かって延設された底板形成部４０と、同他方の側縁部から外方に向かって延設された蓋体形成部５０とを備え、底板形成部４０は、帯状部３０における隣設された縦折り線２１間および縦折り線２１と端縁との間からそれぞれ延設された複数の底板用フラップを有し、各底板用フラップは、それぞれの一部同士が互いに重ね合わされることにより底板の閉止状態が維持されるとともに、一部の底板用フラップの端縁面同士が互いに当接するように形状設定されている。【選択図】      図１
2006089049.tif 000002
【特許請求の範囲】
【請求項１】
平面視で六角形状を呈した筒部と、該筒部の一方の開口を閉止する底板と、同他方の開口を開閉自在に閉止する蓋体とを備え、段ボール紙を切り抜いて得られる所定平面形状の展開紙を、予め設定された所定の折り線に沿って折り畳むことにより形成される段ボール箱であって、
前記展開紙は、互いに平行に設定された複数本の折り線に沿って環状に折り曲げることで前記筒部を形成する長尺の帯状部と、この帯状部の一方の側縁部から外方に向かって延設された前記底板を形成する底板形成部と、同他方の側縁部から外方に向かって延設された前記蓋体を形成する蓋体形成部とを備え、
前記底板形成部は、前記帯状部における隣設された折り線間および折り線と端縁との間からそれぞれ延設された複数の底板用フラップを有し、
前記各底板用フラップは、それぞれの一部同士が互いに重ね合わされることにより底板の閉止状態が維持されるとともに、一部の底板用フラップの端縁面同士が互いに当接するように形状設定されていることを特徴とする段ボール箱。
【請求項２】
前記帯状部は、一方の端縁に形成された糊代部を有し、この糊代部の基端位置に第１折り線が設定されるとともに、この第１折り線から他方の端縁に向けて第２〜第６折り線が設定され、
前記各折り線間および第６折り線と帯状部の他方の端縁との間に第１〜第６区分帯部がそれぞれ形成され、
前記底板用フラップとして第１〜第６区分帯部のそれぞれから延設された第１〜第６底フラップが形成され、
前記第２および第５底フラップは、それぞれの先端縁部が互いの嵌め合わせで閉止状態が維持されるように形状設定され、
前記第１および第３底フラップは、前記第５底フラップと対向する各縁面が第５底フラップにおける第５および第６折り線の延びる方向に延びた各縁面と当接するように形状設定されていることを特徴とする請求項１記載の段ボール箱。
【請求項３】
前記第１フラップの第１折り線を起点とした縁面および前記第３フラップの第４折り線を起点とした縁面が、前記筒部の六角形状を規定する辺とされていることを特徴とする請求項２記載の段ボール箱。
【請求項４】
前記第１および第３底フラップには、基端側に前記第２底フラップと干渉する干渉部が形成されていることを特徴とする請求項２または３記載の段ボール箱。
【請求項５】
前記蓋体は、前記第１〜第６区分帯部からそれぞれ延設された第１〜第６蓋フラップを備え、
前記第１蓋フラップ、第３蓋フラップ、第４蓋フラップおよび第６蓋フラップはそれぞれ三角形状に形成されているとともに、第２蓋フラップおよび第５蓋フラップは台形状に形成されていることを特徴とする請求項２乃至４のいずれかに記載の段ボール箱。
【請求項６】
前記第２蓋フラップと第３蓋フラップとの間および第５蓋フラップと第６蓋フラップとの間には、それぞれ易離間性の連結部が設けられていることを特徴とする請求項５記載の段ボール箱。
【発明の詳細な説明】
【技術分野】
【０００１】
本発明は、段ボール紙を切り抜いて得られる所定平面形状の展開紙を予め設定された所定の折り線に沿って折り畳むことにより形成される段ボール箱に関するものである。
【背景技術】
【０００２】
従来、特許文献１に記載されているような紙容器（段ボール箱）が知られている。この紙容器は、平面視で六角形状を呈した六角筒体と、この六角筒体の一方の開口を閉止することによって形成された底板と、同他方の開口を閉止する天板とを備えて構成されている。天板の中央位置には円孔が穿設され、この円孔にキャップを備えた口金部材が装着されるようになっている。
【０００３】
かかる紙容器は、厚紙を所定の形状に切り抜いて得られる展開紙を、予め設定された折り線に沿って折り曲げた上で、互いに重なり合った部分を貼着することによって形成されている。展開紙は、六角筒体になる部分である周壁部と、この周壁部の一方の縁部から延設された糊代部と、前記周壁部における糊代部と直交する縁部の一方から延設された複数の底板用フラップと、同他方の縁部から延設された天板用フラップとを備えている。
【０００４】
そして、周壁部を六角形状に丸めた上で、糊代部を周壁部の他方の縁部に貼着することにより六角筒体が形成されるとともに、この六角筒体から延設された前記各底板用フラップおよび前記各天板用フラップをそれぞれ内側に向けて折り曲げ、これらの互いに重なり合った部分同士を互いに貼着することによって紙容器が形成されるようになっている。
【０００５】
かかる六角筒状の紙容器は、例えば、画像形成装置に適用されるトナーカートリッジやトナー回収タンクのような正規の姿勢以外で保管されたり運搬されたりすることを嫌う被収納物を包装する容器として好都合である。
【特許文献１】実開平５−５１７２３号公報
【発明の開示】
【発明が解決しようとする課題】
【０００６】
しかしながら、特許文献１に記載の紙容器は、底板用フラップの互いに重なり合った部分の全て、および天板用フラップの互いに重なり合った部分の全てに対して貼着処理を施さなければならず、その分接着剤のコストが嵩むばかりか、多くの部分を対象とした接着剤の塗布処理のために生産性が劣るという不都合が存在した。
【０００７】
また、底板用フラップのすべてについて互いに重なり合った部分が形成されるため、底板は全体的に平らにはならず、各所で多くの段差が形成された状態になっているため、各種の機械装置や各種の物品などの固体の被収納物を段ボール箱に収納する場合、この段差によって被収納物の収納状態が不安定になるという問題点も存在する。
【０００８】
本発明は、かかる状況に鑑みなされたものであって、接着剤コストの低減化を達成し、生産性の向上を図った上で、安定した被収納物の収納状態を得ることができる段ボール箱を提供することを目的としている。
【課題を解決するための手段】
【０００９】
請求項１記載の発明は、段ボール紙を切り抜いて得られる所定平面形状の展開紙を、予め設定された所定の折り線に沿って折り畳むことにより形成される段ボール箱であって、平面視で六角形状を呈した筒部と、該筒部の一方の開口が閉止されることによって形成された底板と、同他方の開口を開閉自在に閉止する蓋体とを備え、前記展開紙は、互いに平行に設定された複数本の折り線に沿って環状に折り曲げることで前記筒部を形成する長尺の帯状部と、この帯状部の一方の側縁部から外方に向かって延設された前記底板を形成する底板形成部と、同他方の側縁部から外方に向かって延設された前記蓋体を形成する蓋体形成部とを備え、前記底板形成部は、前記帯状部における隣設された折り線間および折り線と端縁との間からそれぞれ延設された複数の底板用フラップを有し、前記各底板用フラップは、それぞれの一部同士が互いに重ね合わされることにより底板の閉止状態が維持されるとともに、一部の底板用フラップの端縁面同士が互いに当接するように形状設定されていることを特徴とするものである。
【００１０】
かかる構成によれば、展開紙における長尺の帯状部を、互いに平行に設定された複数本の折り線に沿って環状に折り曲げることによって段ボール箱の筒部が形成され、引き続きこの帯状部の一方の側縁部から外方に向かって延設された底板形成部を筒部の内側に向けて略直角に折り曲げることにより段ボール箱の底板が形成される。さらに、帯状部の他方の側縁部から外方に向かって延設された蓋体形成部を筒部の内側に向けて略直角に折り曲げることにより段ボール箱の蓋体が形成される。
【００１１】
そして、底板形成部は、帯状部における隣設された折り線間および折り線と端縁との間からそれぞれ延設された複数の底板用フラップを有し、各底板用フラップは、それぞれの一部同士が互いに重ね合わされることにより底板の閉止状態が維持される、いわゆる嵌め殺し（地獄底ともいう）になっているとともに、一部の底板用フラップの端縁面同士が互いに当接するように形状設定されているため、接着剤を用いて底板用フラップ同士を互いに貼着する必要がなくなり、その分製造コストの低減化に貢献するとともに、段ボール箱が形成された状態で、底板の一部は段差のないフラットな状態になっているため、底板を形成する各フラップ同士がすべて重なり合って底板に全体的に段差が形成された状態の従来の段ボール箱に比べて底を平らにすることが可能になり、その分被収納物の収納状態が安定する。
【００１２】
請求項２記載の発明は、請求項１記載の発明において、前記帯状部は、一方の端縁に形成された糊代部を有し、この糊代部の基端位置に第１折り線が設定されるとともに、この第１折り線から他方の端縁に向けて第２〜第６折り線が設定され、前記各折り線間および第６折り線と帯状部の他方の端縁との間に第１〜第６区分帯部がそれぞれ形成され、前記底板用フラップとして第１〜第６区分帯部のそれぞれから延設された第１〜第６底フラップが形成され、前記第２および第５底フラップは、それぞれの先端縁部が互いの嵌め合わせで閉止状態が維持されるように形状設定され、前記第１および第３底フラップは、前記第５底フラップと対向する各縁面が第５底フラップにおける第５および第６折り線の延びる方向に延びた各縁面と当接するように形状設定されていることを特徴とするものである。
【００１３】
かかる構成によれば、帯状部を第１〜第６折り線に沿って同一方向に折り曲げて行くとともに、第１折り線の外側に形成された糊代部を帯状部の他方の端部に貼着することにより六角筒状の筒部が形成される。引き続き、各折り線間に形成された第１〜第６区分帯部のそれぞれから延設された第１〜第６底フラップを筒部の内側に向けてそれぞれ略直角に折り曲げ、それらの一部同士で所定の嵌め殺しを行うことにより、段ボール箱の底板が形成される。
【００１４】
そして、第２および第５底フラップは、それぞれの先端縁部が互いの嵌め合わせで閉止状態が維持されるように形状設定されている一方、第１および第３底フラップは、第５底フラップと対向する各縁面が第５底フラップにおける第５および第６折り線の延びる方向に延びた各縁面と当接するように形状設定されているため、底板が形成された状態で、第１および第３底フラップと第５底フラップとは、互いに縁面同士が当接した状態になるため、この部分での底板の面一状態が確保される。
【００１５】
請求項３記載の発明は、請求項２記載の発明において、前記第１フラップの第１折り線を起点とした縁面および前記第３フラップの第４折り線を起点とした縁面が、前記筒部の六角形状を規定する辺とされていることを特徴とするものである。
【００１６】
かかる構成によれば、展開紙の折線に沿った折り込みによる段ボール箱の組み立て作業において、第１フラップの第１折り線を起点とした縁面および前記第３フラップの第４折り線を起点とした縁面が、前記筒部の六角形状を規定する辺とされていることにより、筒部の六角形の形状確定が容易に行われ、これによって段ボール箱の組み立て作業の効率的に行われる。また、仕上がった段ボール箱は、第１フラップの第１折り線に沿った縁面および前記第３フラップの第４折り線に沿った縁面がそれぞれ胴部を形成する面に当接した状態になるため、六角形を呈する筒部の保形性が良好になるとともに、段ボール箱が構造的に丈夫になる。
【００１７】
請求項４記載の発明は、請求項２または３記載の発明において、前記第１および第３底フラップには、基端側に前記第２底フラップと干渉する干渉部が形成されていることを特徴とするものである。
【００１８】
かかる構成によれば、第１および第３底フラップの干渉部が第２底フラップと干渉するため、この干渉によって底板に貫通した切れ目が形成された状態を回避することが可能になる。
【００１９】
請求項５記載の発明は、請求項２乃至４のいずれかに記載の発明において、前記蓋体は、前記第１〜第６区分帯部からそれぞれ延設された第１〜第６蓋フラップを備え、前記第１蓋フラップ、第３蓋フラップ、第４蓋フラップおよび第６蓋フラップはそれぞれ三角形状に形成されているとともに、第２蓋フラップおよび第５蓋フラップは台形状に形成されていることを特徴とするものである。
【００２０】
かかる構成によれば、三角形状に形成された第１蓋フラップ、第３蓋フラップ、第４蓋フラップおよび第６蓋フラップを筒部の内側に向けて略直角に折り曲げた上で、台形状に形成されている第２蓋フラップおよび第５蓋フラップをそれぞれ筒部の内側に向けて略直角に折り曲げることにより、段ボール箱の上面開口が面一状態の蓋体によって閉止された状態になる。
【００２１】
請求項６記載の発明は、請求項５記載の発明において、前記第２蓋フラップと第３蓋フラップとの間および第５蓋フラップと第６蓋フラップとの間には、それぞれ易離間性の連結部が設けられていることを特徴とするものである。
【００２２】
かかる構成によれば、展開紙を第１〜第６折り線に沿って折り曲げることにより筒部が形成された状態で、当該筒部を互いに対向するいずれの折れ線を１８０°折り曲げることにより平たく２層体に圧縮しても、第２および第５蓋フラップの出っ張った部分が易離間性を有する連結部の存在によって折り込まれ、これによって２層体は常に方形になるため、段ボール箱の自動的な組み立てラインで２層体を容易に搬送したり加工したりすることが可能になり、段ボール箱の自動組み立てが円滑に行われる。
【発明の効果】
【００２３】
請求項１記載の発明によれば、底板形成部は、帯状部における隣設された折り線間および折り線と端縁との間からそれぞれ延設された複数の底板用フラップを有し、各底板用フラップは、それぞれの一部同士が互いに重ね合わされることにより底板の閉止状態が維持される、いわゆる嵌め殺し（地獄底ともいう）になっているとともに、一部の底板用フラップの端縁面同士が互いに当接するように形状設定されているため、接着剤を用いて底板用フラップ同士を互いに貼着する必要がなくなり、その分製造コストの低減化に貢献するとともに、段ボール箱が形成された状態で、底板の一部は段差のないフラットな状態になっているため、底板を形成する各フラップ同士がすべて重なり合って底板に全体的に段差が形成された状態の従来の段ボール箱に比べて底を平らにすることが可能になり、その分被収納物を安定した状態で収納することができる。
【００２４】
請求項２記載の発明によれば、第２および第５底フラップは、それぞれの先端縁部が互いの嵌め合わせで閉止状態が維持されるように形状設定されている一方、第１および第３底フラップは、第５底フラップと対向する各縁面が第５底フラップにおける第５および第６折り線の延びる方向に延びた各縁面と当接するように形状設定されているため、底板が形成された状態で、第１および第３底フラップと第５底フラップとは、互いに縁面同士が当接した状態になり、これによってこの部分での底板の面一状態を確保することができ、被収納物を安定した状態で収納することができる。
【００２５】
請求項３記載の発明によれば、第１フラップの第１折り線を起点とした縁面および第３フラップの第４折り線を起点とした縁面が、前記筒部の六角形状を規定する辺とされているため、筒部の六角形の形状確定が容易に行われ、これによって段ボール箱の組み立て作業を効率的に行うことができる。また、仕上がった段ボール箱は、第１フラップの第１折り線を起点とした縁面および前記第３フラップの第４折り線を起点とした縁面がそれぞれ胴部を形成する面に当接した状態になるため、六角形を呈する筒部の良好な保形性が確保され、段ボール箱を構造的に丈夫なものにすることができる。
【００２６】
請求項４記載の発明によれば、第１および第３底フラップの干渉部が第２底フラップと干渉するため、この干渉によって底板に貫通した切れ目が形成された状態を回避することができる。
【００２７】
請求項５記載の発明によれば、三角形状に形成された第１蓋フラップ、第３蓋フラップ、第４蓋フラップおよび第６蓋フラップを筒部の内側に向けて略直角に折り曲げた上で、台形状に形成されている第２蓋フラップおよび第５蓋フラップをそれぞれ筒部の内側に向けて略直角に折り曲げることにより、段ボール箱の上面開口を面一状態の蓋体によって閉止することができるため、段ボール箱の外観を見栄えのよいものにすることができる。
【００２８】
請求項６記載の発明によれば、展開紙を第１〜第６折り線に沿って折り曲げることにより筒部が形成された状態で、当該筒部を互いに対向するいずれの折れ線を１８０°折り曲げることにより平たく２層体に圧縮しても、第２および第５蓋フラップの出っ張った部分が連結部の存在によって折り込まれ、これによって２層体は常に方形になるため、段ボール箱の自動的な組み立てラインで２層体を容易に搬送したり加工したりすることが可能になり、段ボール箱の自動組み立てを円滑に行うことができる。
【発明を実施するための最良の形態】
【００２９】
図１は、本発明に係る段ボール箱の一実施形態を示す斜視図であり、（イ）は、底板および天板が開放された状態、（ロ）は、底板および天板が閉止された状態をそれぞれ示している。図１に示すように、本実施形態に係る段ボール箱１０は、段ボール紙を切り抜いて得られる所定平面形状の展開紙２０（図２）を、予め設定された所定の折り線に沿って折り畳むことにより形成されるものであり、平面視で六角形状を呈した六角筒部１１と、該六角筒部１１の下方の開口が閉止されることによって形成される底板１２と、同上方の開口を開閉自在に閉止する蓋体１３とを備えて構成されている。
【００３０】
前記六角筒部１１は、上下に長尺の矩形状を呈した第１筒壁１１１と、この第１筒壁１１１に隣接した正方形状の第２筒壁１１２と、この第２筒壁１１２に隣接した前記第１筒壁１１１と同一寸法の第３筒壁１１３と、この第３筒壁１１３に隣接した前記第１筒壁１１１と同一寸法の第４筒壁１１４と、この第４筒壁１１４に隣接した第５筒壁１１５と、この第５筒壁１１５と前記第１筒壁１１１との間に介設された第１筒壁１１１と同一寸法の第６筒壁１１６とからなっている。
【００３１】
前記第１、第３、第４および第６筒壁１１１，１１３，１１４，１１６は、短辺の長さ寸法が長辺の長さ寸法の略１／２に設定されている。この寸法については、１／２に限定されるものではなく、被収納物の大きさや形状によって変更可能である。かかる第１〜第６筒壁１１１〜１１６で六角筒を形成させた状態で、第１筒壁１１１および第６筒壁１１６の対向縁部を互いに連結することによって六角筒部１１が形成されている。
【００３２】
前記底板１２は、第１筒壁１１１の下縁部から外方に向かって延設された第１底板片１２１と、第２筒壁１１２の下縁部から外方に向かって延設された第２底板片１２２と、第３筒壁１１３の下縁部から外方に向かって延設された第３底板片１２３と、第４筒壁１１４の下縁部から外方に向かって延設された第４底板片１２４と、第５筒壁１１５の下縁部から外方に向かって延設された第５底板片１２５と、第６筒壁１１６の下縁部から外方に向かって延設された第６底板片１２６とからなっている。これら第１〜第６底板片１２１〜１２６を所定の順番で六角筒部１１の内側に向けて直角に折り曲げていくことにより、特に接着剤やステープル処理を施すことなく、いわゆる嵌め殺しによって、図１の（ロ）に示すように、底板１２が形成されるようになっている。
【００３３】
前記蓋体１３は、第１筒壁１１１の上縁部から外方に向かって延設された第１蓋片１３１と、第２筒壁１１２の上縁部から外方に向かって延設された第２蓋片１３２と、第３筒壁１１３の上縁部から外方に向かって延設された第３蓋片１３３と、第４筒壁１１４の上縁部から外方に向かって延設された第４蓋片１３４と、第５筒壁１１５の上縁部から外方に向かって延設された第５蓋片１３５と、第６筒壁１１６の上縁部から外方に向かって延設された第６蓋片１３６とからなっている。
【００３４】
前記第１、第３、第４および第６蓋片１３１，１３３，１３４，１３６は、いずれも各筒壁の上縁部を底辺とする概略直角二等辺三角形に形状設定されている一方、第２および第５蓋片１３２，１３５は、いすれも先端縁部を底辺とする同一形状の台形に形状設定されている。前記第１蓋片１３１、第３蓋片１３３、第４蓋片１３４および第６蓋片１３６は、必ずしも頂角が直角で頂角を挟む２辺が等しくなる必要はなく、第１蓋片１３１と第６蓋片１３６、および第３蓋片１３３と第４蓋片１３４とが合わさったとき、図５の（ロ）に示すように、段ボール箱１０の六角形状が確保されればよい。
【００３５】
そして、六角筒部１１が形成された状態で、まず、第１、第３、第４および第６蓋片１３１，１３３，１３４，１３６を六角筒部１１の内側に向けてそれぞれ直角に折り曲げた後、第２および第５蓋片１３２，１３５を六角筒部１１の内側に向けてそれぞれ直角に折り曲げることにより、図１の（ロ）に示すように、外面が面一状態の蓋体１３が形成されるようになっている。
【００３６】
図２は、かかる段ボール箱１０の形成させるための展開紙２０の一実施形態を示す展開図である。この図に示すように、展開紙２０は、前記六角筒部１１を形成するための横方向（図２の紙面の左右方向）に長尺の帯状部３０と、この帯状部３０の図２における下縁部から外方に向かって延設された前記底板１２を形成する底板形成部４０と、互いに平行に設定された複数本の折り線２１に沿って環状に折り曲げることで前記蓋体１３を形成する蓋体形成部５０とを備えて構成されている。
【００３７】
前記帯状部３０は、前記第１筒壁１１１に対応した第１区分帯部３１と、前記第２筒壁１１２に対応した第２区分帯部３２と、前記第３筒壁１１３に対応した第３区分帯部３３と、前記第４筒壁１１４に対応した第４区分帯部３４と、前記第５筒壁１１５に対応した第５区分帯部３５と、前記第６筒壁１１６に対応した第６区分帯部３６とを備えて構成されている。第１区分帯部３１の図２における左方縁部から糊代部３７が延設されている。
【００３８】
かかる帯状部３０には、当該帯状部３０を幅方向に横断した縦方向に延びる縦折り線（折り線）２１と、底板形成部４０との境界位置および蓋体形成部５０との境界位置に形成された横折り線２２とが形成されている。これらの折り線２１，２２は、展開紙２０に対して線状にプレス処理が施されることによって形成されている。
【００３９】
前記縦折り線２１は、糊代部３７と第１区分帯部３１との間に形成された第１縦折り線（第１折り線）２１１と、第１区分帯部３１と第２区分帯部３２との間に形成された第２縦折り線（第２折り線）２１２と、第２区分帯部３２と第３区分帯部３３との間に形成された第３縦折り線（第３折り線）２１３と、第３区分帯部３３と第４区分帯部３４との間に形成された第４縦折り線（第４折り線）２１４と、第４区分帯部３４と第５区分帯部３５との間に形成された第５縦折り線（第５折り線）２１５と、第５区分帯部３５と第６区分帯部３６との間に形成された第６縦折り線（第６折り線）２１６とからなっている。
【００４０】
また、前記横折り線２２は、帯状部３０と底板形成部４０との間に形成された第１横折り線２２１と、帯状部３０と蓋体形成部５０との間に形成された第２横折り線２２２とからなっている。そして、展開紙２０は、これら縦折り線２１および横折り線２２に沿って表面側から裏面側に向けていわゆる山折りされるのである。
【００４１】
前記底板形成部４０は、前記第１底板片１２１に対応した第１底板フラップ（第１底フラップ）４１と、前記第２底板片１２２に対応した第２底板フラップ（第２底フラップ）４２と、前記第３底板片１２３に対応した第３底板フラップ（第３底フラップ）４３と、前記第４底板片１２４に対応した第４底板フラップ（第４底フラップ）４４と、前記第５底板片１２５に対応した第５底板フラップ（第５底フラップ）４５と、前記第６底板片１２６に対応した第６底板フラップ（第６底フラップ）４６とを備えて構成されている。
【００４２】
これら第１〜第６底板フラップ４１〜４６の内の第１，第３，第４および第６底フラップにおける第１縦折り線２１１の部分の長さ寸法は同一に設定されているとともに、第２および第５底フラップにおける第１横折り線２２１の部分の長さ寸法は同一に設定されている。
【００４３】
前記第１底板フラップ４１は、第１横折り線２２１側を底辺として略直角二等辺三角形状に形成されている。この直角を挟む２辺は、必ずしも等しくなくてもよい。この直角二等辺三角形の垂線に対応する第１底板フラップ４１の縁部は、前記第１縦折り線２１１の延長線上に位置している。また、直角二等辺三角形の斜辺と対応する縁部（斜辺縁部４１１）は、第１底板フラップ４１における第１縦折り線２１１と第２縦折り線２１２との交点Ｐ１から図２における左方に向けて先下がりに斜めに形成されている。そして、交点Ｐ１に隣接した位置には、斜辺縁部４１１の外側へ向けて突設された小さな二等辺三角形状の三角突起（干渉部）４１２が形成されている。この三角突起４１２は、底辺部分が斜辺縁部４１１上に位置している。
【００４４】
また、第１底板フラップ４１における第１縦折り線２１１の延長線を基点とした縁面４１３は、六角筒部１１が形成された状態で第６筒壁１１６（第６区分帯部３６）の内面に当接するようになされ、六角筒部１１の六角形状を規定する基準辺とされている。
【００４５】
前記第２底板フラップ４２は、第２区分帯部３２における第１縦折り線２１１から図２における下方へ延設された横方向に長尺の長方形状を呈する長尺矩形部４２１と、この長尺矩形部４２１から外方に向かって延設された等脚台形状を呈する台形部４２２と、この台形部４２２からさらに外方に向かって延設された長方形状を呈する短尺矩形部４２３とからなっている。
【００４６】
前記長尺矩形部４２１は、短辺側の長さ寸法が第１底板フラップ４１における第１縦折り線２１１の長さ寸法の略１／２に設定されている。前記台形部４２２は、台形の高さ寸法が長尺矩形部４２１の短辺寸法と略同一に設定されているとともに、台形の各斜辺が底辺に対してそれぞれ略４５°に設定され先細りになっている。前記短尺矩形部４２３は、長辺が台形部４２２の頂辺と略同一に設定されているとともに、短辺が長尺矩形部４２１の短辺より若干短めに設定されている。
【００４７】
前記第３底板フラップ４３は、前記第１底板フラップ４１と線対称で同一寸法に形状設定されている。かかる第３底板フラップ４３にも、斜辺縁部４３１に基端位置から外方に向かって突設された三角突起（干渉部）４３２が突設されている。
【００４８】
また、第３底板フラップ４３における第４縦折り線２１４の延長線を基点とした縁面４３３は、六角筒部１１が形成された状態で第４筒壁１１４（第４区分帯部３４）の内面に当接するようになされ、前記第１底板フラップ４１における第１縦折り線２１１の延長線に沿った縁面４１３とともに六角筒部１１の六角形状を規定する基準辺とされている。
【００４９】
前記第４底板フラップ４４は、第４区分帯部３４における第１縦折り線２１１を底辺とする第１台形部４４１と、この第１台形部４４１からさらに外方に向けて延設された第２台形部４４２とからなっている。前記第１台形部４４１は、当該台形の高さ寸法が台形の底辺の長さ寸法と略同一に設定されているとともに、頂辺の長さ寸法が底辺の長さ寸法より若干短めに設定されている。
【００５０】
そして、本実施形態においては、図２に示すように、第４底板フラップ４４の第１台形部４４１における第５底板フラップ４５側の傾斜端縁４４４と、これに続く三角突出片４４３の傾斜縁部４４５との交点Ａと、この交点Ａから第５底板フラップ４５の図２における左縁部に下ろした垂線の長さ寸法ｎは、左側の下部装着枠４５２の左右幅寸法ｍと同一（ｎ＝ｍ）に設定され、これによって、左の四角突片４５２の右辺と上部装着枠４５１の下辺との交点をＢとするとともに、第１台形部４４１の左の斜辺と第５縦折り線２１５との交点をＣとした場合、点Ａ、点Ｂおよび点Ｃを直線で結ぶことにより、辺ＡＣと辺ＢＣとが等しい二等辺三角形が形成されるようになっている。かかる寸法関係については、第６底板フラップ４６の第１台形部４６１および第５底板フラップ４５の右側の下部装着枠４５２との間でも成立している。
【００５１】
このような二等辺三角形ＣＡＢが形成されるように、第４底板フラップ４４、第５底板フラップ４５および第６底板フラップ４６（第５底板フラップ４５と第６底板フラップ４６との間の上記同様の関係については説明を省略している）が寸法設定されることにより、段ボール箱１０を組み立てるに際し、図４の（ハ）に示すように、底板形成部４０において第２底板フラップ４２の短尺矩形部４２３の左右の縁部が第２底板フラップ４２の前記点Ａ（図２）に当接するようになっている（すなわち、短尺矩形部４２３が嵌り込み得る空間が形成されるようになっている）。
【００５２】
前記第２台形部４４２は、台形の頂辺を第１台形部４４１のそれと共有しているとともに、台形の底辺が第１台形部４４１のそれより若干短めに設定され、台形の高さ寸法が前記第２底板フラップ４２の短尺矩形部４２３の短辺寸法と略同一に設定されている。そして、第４底板フラップ４４の第２台形部４４２には、図２における右方位置に三角突出片４４３が形成されているとともに、第６底板フラップ４６の第２台形部４６２の同左方位置にも三角突出片４６３が形成されている。
【００５３】
前記第５底板フラップ４５は、前記第２底板フラップ４２に対応するものであり、段ボール箱１０（図１）が形成された状態で第２底板フラップ４２に係合され、これによって底板１２を嵌め殺しで形成させるものである。かかる第５底板フラップ４５は、門構え状に形成され、第５区分帯部３５における第１横折り線２２１から外方に向かって延設された長方形状の矩形部４５１と、この矩形部４５１の図２における左右の端部から外方に向けて突設された一対の四角突片４５２とからなっている。
【００５４】
前記矩形部４５１は、短辺寸法が前記第２底板フラップ４２の長尺矩形部４２１と台形部４２２とを合わせた第２区分帯部３２からの突出量と略同一に設定されている。また、各四角突片４５２は、それぞれ同一形状に設定されているとともに、第５底板フラップ４５からの突出量が前記第２底板フラップ４２の短尺矩形部４２３の短辺寸法と略同一に設定されている。これら一対の四角突片４５２間の内寸法は、前記短尺矩形部４２３の長辺寸法と略同一に設定されている。
【００５５】
また、前記第１および第３底板フラップ４１，４３は、前記第５底板フラップ４５と対向する各縁面が第５底板フラップ４５における第５および第６縦折り線２１５，２１６の延びる方向に延びた各縁面と当接するように形状設定されている。
【００５６】
前記第６底板フラップ４６は、前記第４底板フラップ４４と線対称で同一寸法に形状設定されている。かかる第６底板フラップ４６も、第４底板フラップ４４と同様に第１台形部４６１と、第２台形部４６２とからなっている。
【００５７】
前記蓋体形成部５０は、第１区分帯部３１から第２横折り線２２２を介して外方へ突設された前記第１蓋片１３１と対応する第１蓋フラップ５１と、第２区分帯部３２から第２横折り線２２２を介して外方へ突設された前記第２蓋片１３２と対応する第２蓋フラップ５２と、第３区分帯部３３から第２横折り線２２２を介して外方へ突設された前記第３蓋片１３３と対応する第３蓋フラップ５３と、第４区分帯部３４から第２横折り線２２２を介して外方へ突設された前記第４蓋片１３４と対応する第４蓋フラップ５４と、第５区分帯部３５から第２横折り線２２２を介して外方へ突設された前記第５蓋片１３５と対応する第５蓋フラップ５５と、第６区分帯部３６から第２横折り線２２２を介して外方へ突設された前記第６蓋片１３６と対応する第６蓋フラップ５６とからなっている。
【００５８】
前記第１，第３，第４および第６蓋フラップ５１，５３，５４，５６は、本実施形態においては、それぞれ第２横折り線２２２の部分を底辺とする二等辺三角形の同一形状に設定されている。この二等辺三角形の頂角は９０°に設定されている。但し、本発明は、第１，第３，第４および第６蓋フラップ５１，５３，５４，５６が二等辺三角形に設定され、その頂角が９０°に設定されることに限定されるものではなく、状況に応じて各種の形状に設定することができる。
【００５９】
前記第２および第５蓋フラップ５２，５５は、先端側の片を底辺とし、第２横折り線２２２側を頂片とする同一の台形状に設定されている。かかる台形の高さ寸法は、前記第５底板フラップ４５の矩形部４５１の短辺寸法と略同一に設定されている。
【００６０】
そして、本実施形態においては、第３縦折り線２１３が第２蓋フラップ５２にまで延設されているとともに、第６縦折り線２１６が第５蓋フラップ５５にまで延設され、これによって第２蓋フラップ５２には第３縦折り線２１３の外側に容易に折れ曲がり得る第１易曲折三角部５２１が形成されているとともに、第５蓋フラップ５５には、第６縦折り線２１６の外側に第１易曲折三角部５２１と同様の第２易曲折三角部５５１が形成されている。因みに、前記第１および第２易曲折三角部５２１，５５１は、第３縦折り線２１３と、第２蓋フラップ５２の図２における上縁部との交点部分の角度が直角になった直角三角形状を呈している。
【００６１】
また、第１易曲折三角部５２１と第３蓋フラップ５３との間には、その境界位置において基端側から先端側に向かって切り込まれて形成した第１切込み線５２２が設けられ、これによって先端側に第１易曲折三角部５２１と第３蓋フラップ５３とを連結した第１連結部（易離間性の連結部）５２３が形成されている。第２易曲折三角部５５１と第６蓋フラップ５６との間にも第１切込み線５２２と同様の第２切込み線５５２が設けられているとともに、第１連結部５２３と同様の第２連結部（易離間性の連結部）５５３が設けられている。
【００６２】
このような第１および第２切込み線５２２，５５２および第１および第２連結部５２３，５５３が設けられるのは、展開紙２０を縦折り線２１に沿って折り曲げて六角筒部１１（図１）を形成させた状態で、搬送や製造のためにこの六角筒部１１を扁平に圧縮した際、第１および第２易曲折三角部５２１，５５１が外部に突出し、これによって円滑な作業が阻害されるのを防止するためである。そして、段ボール箱１０の組み付け作業を行うに際しては、第１および第２連結部５２３，５５３は連結が維持された状態とされ、六角筒部１１および底板１２が仕上がった状態の段ボール箱１０に被収納物を収納した後の蓋体１３の閉止時に第１および第２連結部５２３，５５３がカッターナイフ等の工具によって、あるいは手によって切断される。
【００６３】
以下、このように構成された展開紙２０の折り込み作業について、図３を基に詳細に説明する。図３は、六角筒部１１を形成させるために展開紙２０を縦折り線２１に沿って折り畳む状態を示す斜視図であり、（イ）は、展開紙２０が第３縦折り線２１３および第６縦折り線２１６のそれぞれに沿って略９０°ずつ折り曲げられた状態、（ロ）は、展開紙２０が第３縦折り線２１３および第６縦折り線２１６に沿って略１８０°ずつ折り曲げられることにより扁平な六角筒部１１が形成された状態をそれぞれ示している。
【００６４】
展開紙２０に折り線に沿った折り曲げ処理を施して段ボール箱１０を製造するに際し、展開紙２０は、まず図３の（イ）に示すように、第３縦折り線２１３および第６縦折り線２１６に沿った表面側から見て山折り処理（図３の（イ）に示すように裏面側から見れば谷折り処理）が施され、これによって、図３の（ロ）に示すように、第１区分帯部３１および第６区分帯部３６が第５区分帯部３５と対向するとともに、糊代部３７が第６区分帯部３６の縁部に対向した状態の扁平中間体（２層体）２３が形成される。
【００６５】
そして、扁平中間体２３が形成された状態においては、第１および第２易曲折三角部５２１，５５１は、第１および第２連結部５２３，５５３が存在することにより、扁平中間体２３からめくれ上がった状態（図３の（ロ）に二点鎖線で表示）になることが確実に防止されるため、扁平中間体２３は出っ張りのない状態になっており、したがって、出っ張りの存在で所定の組み付け装置における自動的な搬送処理や糊付け処理が困難になるような不都合の発生を阻止することができる。
【００６６】
つぎに、図４を基に、扁平中間体２３からの段ボール箱１０の組み付け処理について詳細に説明する。図４は、段ボール箱１０の組み付け処理を説明するための底板１２側から見た段ボール箱１０の斜視図であり、（イ）は、六角筒部１１が仕上がった状態、（ロ）は、第１および第３底板フラップ４１，４３並びに第５底板フラップ４５が六角筒部１１の内方に向けて９０°折り曲げられた状態、（ハ）は、第４および第６底板フラップ４４，４６がそれぞれ対応した第３および第１底板フラップ４３，４１に折り重ねられた状態、（ニ）は、第２底板フラップ４２が折られて先端の短尺矩形部４２３が第５底板フラップ４５の矩形部４５１の裏面側に潜り込まされた状態をそれぞれ示している。
【００６７】
六角筒部１１に底板１２を形成させるに際しては、図４の（イ）に示す状態を始点として、まず、第１および第３底板フラップ４１，４３が六角筒部１１の内側に向けて直角に折られるとともに、第５底板フラップ４５も同様に直角に折られる。このとき第１および第３底板フラップ４１，４３の各側端縁が六角筒部１１の所定の六角形状にマッチした当該六角形状を規定づける基準辺とされているため、この基準辺の存在で組み付け作業が効率的に行われる。そして、図４の（ロ）に示すように、第１および第３底板フラップ４１，４３の各対向縁面４１１，４３１がそれぞれ第５底板フラップ４５の左右の縁面と当接した状態になり、底板１２が形成された状態で第１および第３底板フラップ４１，４３と第５底板フラップ４５とは面一状態になる。
【００６８】
ついで、図４の（ハ）に示すように、各第４および第６底板フラップ４４，４６が六角筒部１１の内側に向けて直角に折られる。こうすることによって第４および第６底板フラップ４４，４６が第１および第３底板フラップ４１，４３および第５底板フラップ４５を覆った状態になる。そしてこの状態では、第５底板フラップ４５の先端縁部と、第４および第６底板フラップ４４，４６の各三角突出片４４３，４６３との間に一対の差込み隙間２４が形成される。
【００６９】
そして、図４の（ハ）に示す状態において、第２底板フラップ４２を六角筒部１１の内側に向けて直角に折り曲げるとともに、第２底板フラップ４２の短尺矩形部４２３を前記差込み隙間２４に差し込むことにより、図４の（ニ）に示すように、段ボール箱１０の底板１２が形成される。底板１２が形成された状態では、第２底板フラップ４２の台形部４２２が第４および第６底板フラップ４４，４６に被さっていわゆる嵌め殺し状態になっているため、特に接着剤などで接着することなく底板１２が安定した状態になっているとともに、第２底板フラップ４２の長尺矩形部４２１の左右の縁部と第１および第３底板フラップ４１，４３の各斜辺縁部４１１，４３１との間に形成されるべき隙間が、各三角突起４１２，４３２の存在によって閉止されるため、底板１２に隙間が形成されるような不都合の発生が確実に防止される。
【００７０】
つぎに、図５を基に、蓋体１３の閉止作業について説明する。図５は、段ボール箱１０の蓋体１３の閉止作業を説明するための斜視図であり、（イ）は、蓋体１３が閉止される前の状態、（ロ）は、第１および第２連結部５２３，５５３（図２）がそれぞれ切断された状態、（ハ）は、蓋体１３が閉止された状態をそれぞれ示している。
【００７１】
まず、蓋体１３が閉止される前の状態においては、図５の（イ）に示すように、第１および第２連結部５２３，５５３が切断されていないため、第２および第５蓋フラップ５２，５５の第１および第２易曲折三角部５２１，５５１は、いずれも第３および第６蓋フラップ５３，５６を介し第３および第６区分帯部３３，３６に追随して折れ曲がった状態になっている。
【００７２】
この状態において、第１および第２連結部５２３，５５３をカッターナイフ等の工具で切断することにより、図５の（ロ）に示すように、第２および第５蓋フラップ５２，５５は、それぞれ第３および第６蓋フラップ５３，５６から分離独立した状態になる。
【００７３】
この状態で、まず、第１，第３，第４および第６蓋フラップ５１，５３，５４，５６を六角筒部１１の内側に向けて直角に折り曲げた上で、第２および第５蓋フラップ５２，５５を六角筒部１１の内側に向けてそれぞれ直角に折り曲げることにより、図５の（ハ）に示すように、段ボール箱１０の蓋体１３が閉止された状態になる。
【００７４】
図６は、段ボール箱１０において六角形を呈した蓋体１３の一対の対向辺（第２筒壁１１２および第５筒壁１１５）が他の辺より長く設定されている理由を説明するための説明図である。この図に示すように、本実施形態においては、段ボール箱１０は、六角筒部１１の短辺側の面（図７では第１筒壁１１１）がフロアに載置された状態で所定の被収納物が収納された段ボール箱１０の重心Ｇが、第１筒壁１１１の辺と、第２筒壁１１２の辺との交点Ｐの水平方向（図６の左右方向）における外側に位置するように寸法設定されている。
【００７５】
したがって、第１筒壁１１１がフロアに当接した状態で段ボール箱１０がフロアに載置されると、段ボール箱１０には、前記交点Ｐ回りに時計方向へ向かうモーメントが作用するため、段ボール箱１０は交点Ｐ回りに時計方向へ向けて回動して横転する。このように、本実施形態においては、第１筒壁１１１を下面にして段ボール箱１０をフロア上に載置することができないようにしている。このようにされるのは、底板１２を下面にして段ボール箱１０をフロアに置くことを前提として段ボール箱１０に収納された被収納物の正規の収納姿勢を維持させるためである。
【００７６】
この説明では、六角筒部１１の短辺側の面として第１筒壁１１１を例に挙げたが、短辺側の面が第３筒壁１１３、第４筒壁１１４および第６筒壁１１６のいずれかである場合も同様であり、これらの面がフロアに置かれると段ボール箱１０は横転する。
【００７７】
かかる重心設定が行われる段ボール箱１０は、例えば、画像形成装置に適用されるトナーカートリッジやトナー回収タンクのような正規の姿勢以外で保管されたり運搬されたりすることを嫌う被収納物を包装する容器として好適に使用される。
【００７８】
以上詳述したように、本発明に係る画像形成装置１０は、段ボール紙を切り抜いて得られる所定平面形状の展開紙２０を、予め設定された所定の折り線に沿って折り畳むことにより形成されるものであり、平面視で六角形状を呈した六角筒部１１と、該六角筒部１１の下部の開口が閉止されることによって形成される底板１２と、同他方の開口を開閉自在に閉止する蓋体１３とを備え、展開紙２０は、互いに平行に設定された複数本の縦折り線２１に沿って環状に折り曲げることで六角筒部１１を形成する長尺の帯状部３０と、この帯状部３０の一方の側縁部（図２における下方の縁部）から外方に向かって延設された底板１２を形成する底板形成部４０と、同他方の側縁部（図２における上方の縁部）から外方に向かって延設された蓋体１３を形成する蓋体形成部５０とを備え、底板形成部４０は、帯状部３０における隣設された縦折り線２１間および縦折り線２１と端縁との間からそれぞれ延設された複数の底板用フラップを有し、各底板用フラップは、それぞれの一部同士が互いに重ね合わされることにより底板の閉止状態が維持されるとともに、一部の底板用フラップの端縁面同士が互いに当接するように形状設定されているものである。
【００７９】
かかる構成によれば、展開紙２０における長尺の帯状部３０を、互いに平行に設定された複数本の縦折り線２１に沿って環状に折り曲げることによって段ボール箱の六角筒部１１が形成され、引き続きこの帯状部３０の一方の側縁部から外方に向かって延設された底板形成部４０を六角筒部１１の内側に向けて略直角に折り曲げることにより段ボール箱の底板１２が形成される。さらに、帯状部３０の他方の側縁部から外方に向かって延設された蓋体形成部５０を六角筒部１１の内側に向けて略直角に折り曲げることにより段ボール箱の蓋体１３が形成される。
【００８０】
そして、底板形成部４０は、帯状部３０における隣設された縦折り線２１間および縦折り線２１と端縁との間からそれぞれ延設された複数の底板用フラップを有し、各底板用フラップは、それぞれの一部同士が互いに重ね合わされることにより底板の閉止状態が維持される、いわゆる嵌め殺しになっているとともに、一部の底板用フラップの端縁面同士が互いに当接するように形状設定されているため、接着剤を用いて底板用フラップ同士を互いに貼着する必要がなくなり、その分製造コストの低減化に貢献するとともに、段ボール箱が形成された状態で、底板１２の一部は段差のないフラットな状態になっているため、底板１２を形成する各フラップ同士がすべて重なり合って底板１２に全体的に段差が形成された状態の従来の段ボール箱に比べて底を平らにすることが可能になり、その分被収納物の収納状態を安定させることができる。
【００８１】
また、帯状部３０には一方の端縁に形成された糊代部３７を有し、この糊代部３７の基端位置に第１縦折り線２１１が設定されるとともに、この第１縦折り線２１１から他方の端縁に向けて第２〜第６縦折り線２１２〜２１６が設定され、各縦折り線２１間および第６縦折り線２１６と帯状部３０の他方の端縁（図２における右方の端縁）との間に第１〜第６区分帯部３１〜３６がそれぞれ形成され、底板用フラップとして第１〜第６区分帯部３１〜３６のそれぞれから延設された第１〜第６底板フラップ４１〜４６が形成され、第２および第５底板フラップ４２，４５は、それぞれの先端縁部が互いの嵌め合わせで閉止状態が維持されるように形状設定され、第１および第３底板フラップ４１，４３は、第５底板フラップ４５と対向する各縁面（すなわち斜辺縁部４１１，４３１）が第５底板フラップ４５における第５および第６縦折り線２１５，２１６の延びる方向に延びた各縁面と当接するように形状設定されている。
【００８２】
かかる構成によれば、帯状部３０を第１〜第６縦折り線２１２〜２１６に沿って同一方向に折り曲げて行くとともに、第１縦折り線２１１の外側に形成された糊代部３７を帯状部３０の他方の端部（第６区分帯部３６の図２における右縁部）に貼着することにより六角筒部１１が形成される。引き続き、各縦折り線２１間に形成された第１〜第６区分帯部３１〜３６のそれぞれから延設された第１〜第６底フラップ４１〜４６を筒部の内側に向けてそれぞれ略直角に折り曲げ、それらの一部同士で所定の嵌め殺しを行うことにより、段ボール箱の底板１２を形成することができる。
【００８３】
そして、第２および第５底フラップ４２，４５は、それぞれの先端縁部が互いの嵌め合わせで閉止状態が維持されるように形状設定されている一方、第１および第３底板フラップ４１，４３は、第５底板フラップ４５と対向する各縁面が第５底板フラップ４５における第５および第６縦折り線２１５，２１６の延びる方向に延びた各縁面と当接するように形状設定されているため、底板１２が形成された状態で、第１および第３底フラップと第５底フラップとは、互いに縁面同士が当接した状態になるため、この部分での底板１２の面一状態を確保することができる。
【００８４】
また、第１および第３底板フラップ４１，４３には、基端側に第２底フラップと干渉する三角突起４１２，４３２がそれぞれ形成され、これによって第１および第３底板フラップ４１，４３の各三角突起４１２，４３２が第２底フラップと干渉するため、この干渉によって底板１２に貫通した切れ目が形成された状態を回避することができる。
【００８５】
また、蓋体１３は、第１〜第６区分帯部３１〜３６からそれぞれ延設された第１〜第６蓋フラップ５１〜５６を備え、第１，第３，第４および第６蓋フラップ５１，５３，５４，５６はそれぞれ三角形状に形成されているとともに、第２蓋フラップ５２および第５蓋フラップ５５は台形状に形成されているため、三角形状に形成された第１，第３，第４および第６蓋フラップ５１，５３，５４，５６を六角筒部１１の内側に向けて略直角に折り曲げた上で、台形状に形成されている第２蓋フラップ５２および第５蓋フラップをそれぞれ六角筒部１１の内側に向けて略直角に折り曲げることにより、段ボール箱１０の上面開口を蓋体１３によって面一状態で閉止することができる。
【００８６】
さらに、第２蓋フラップ５２と第３蓋フラップとの間および第５蓋フラップ５５と第６蓋フラップ５６との間には、それぞれ第１および第２切込み線５２２，５５２が設けられているとともに、先端側に切り離されないことによって形成された易離間性の第１および第２連結部５２３，５５３が設けられているため、展開紙２０を第１〜第６縦折り線２１２〜２１６に沿って折り曲げることにより六角筒部１１が形成された状態で、当該六角筒部１１を互いに対向するいずれの折れ線を１８０°折り曲げることにより平たく扁平中間体２３に圧縮しても、第２および第５蓋フラップ５５の出っ張った部分（すなわち第１および第２易曲折三角部５２１，５５１）が第１および第２連結部５２３，５５３の存在によって折り込まれ、これによって扁平中間体２３は常に方形になるため、段ボール箱１０の自動的な組み立てラインで扁平中間体２３を容易に搬送したり加工したりすることが可能になり、段ボール箱１０の機械化された自動組み立て工程での組み立て作業を円滑に実行することができる。
【００８７】
図７は、本発明に係る段ボール箱の他の実施形態に使用される展開紙の他の実施形態を示す展開図である。この実施形態においては、展開紙２０′の第１底板フラップ４１′に図７における左縁部が第１縦折り線２１１より左に食み出した第１食み出し部４１４が形成されているとともに、第３底板フラップ４３′に第４縦折り線２１４より右に食み出した第２食み出し部４３４が形成されている点が先の実施形態と相違している。具体的には、第１食み出し部４１４は、第１底板フラップ４１′の左縁面４１３′が第１縦折り線２１１と第１横折り線２２１との交点から下方に向かうに従い左方に向かうように傾斜することで形成されているとともに、第２食み出し部４３４は、第３底板フラップ４３′の右縁面４３３′が第４縦折り線２１４と第１横折り線２２１との交点から下方に向かうに従い右方に向かうように傾斜することで形成されている。
【００８８】
一方、第１底板フラップ４１′に対応した第６底板フラップ４６′の右縁部の縁面は、前記第１底板フラップ４１′の左縁面４１３′に対し、逆の勾配の傾斜縁面とされているとともに、第３底板フラップ４３′に対応した第４底板フラップ４４′の左縁部の縁面は、前記第３底板フラップ４３′の右縁面４３３′に対し、同一の勾配の傾斜縁面とされている。
【００８９】
また、図７に示す例では、第３蓋フラップ５３′および第６蓋フラップ５６′に先の実施形態の第１連結部５２３および第２連結部５５３が設けられていないが、第２実施形態の展開紙２０′は、第１および第２連結部５２３，５５３の存否を問うものではない。
【００９０】
第２実施形態の展開紙２０′のその他の構成は、先の実施形態のものと同様である。
この実施形態の展開紙２０′によれば、段ボール箱１０′が組み立てられた状態で、第１底板フラップ４１′の左縁面４１３′が第６区分帯部３６の内面側に当接するとともに、第３底板フラップ４３′の右縁面４３３′が第４区分帯部３４の内面側に当接し、これによって段ボール箱１０′の保形性が向上するとともに、構造的に丈夫になる。
【００９１】
本発明は、上記の実施形態に限定されるものではなく、以下の内容をも包含するものである。
【００９２】
（１）上記の実施形態においては、第３縦折り線２１３および第６縦折り線２１６のみが第２蓋フラップ５２および第５蓋フラップ５５にまで延設されているが、本発明は、縦折り線２１が第２および第５蓋フラップ５２，５５にのみ形成されることに限定されるものではなく、第２縦折り線２１２を第２蓋フラップ５２にまで延設するとともに、第５縦折り線２１５を第５蓋フラップ５５にまで延設するとともに、この部分にも第１および第２切込み線５２２，５５２および第１および第２連結部５２３，５５３と同様のものを設けてもよい。こうすることによって、展開紙２０をいずれの縦折り線２１で折り曲げて扁平中間体２３を形成しても、第２および第５蓋フラップ５２，５５から突起が飛び出すことを完全に防止することができる。
【００９３】
（２）上記の実施形態においては、第２および第５蓋フラップ５２，５５に第１および第２連結部５２３，５５３が設けられているが、本発明は、第１および第２連結部５２３，５５３を設けることに限定されるものではなく、状況（例えば、段ボール箱１０の製造装置が第２および第５蓋フラップ５２，５５からの突出部分の存在に対応し得るものである場合など）に応じて第１および第２連結部５２３，５５３を特に設けなくてもよい場合もある。
【００９４】
（３）上記の実施形態において、蓋体形成部５０にも底板形成部４０と同様のフラップ構造を採用してもよい。こうすることによって蓋体の閉止状態維持を、粘着テープや接着剤を使用することなく嵌め殺しで閉止することができ、その分材料コストの低減化に貢献することができる。
【００９５】
（４）上記の実施形態においては、第１および第３底板フラップ４１，４３にそれぞれ三角突起４１２，４３２が設けられているが、底板１２に貫通した切れ目が形成されても支障のない場合は、第１および第３底板フラップ４１，４３に特に三角突起４１２，４３２を設けなくてもよい。こうすることによって、底板１２が形成された状態で、底板１２の面一性がより良好になる。
【００９６】
（５）上記の実施形態においては、第４および第６底板フラップ４４，４６にそれぞれ三角突出片４４３，４６３が設けられているが、状況に応じて三角突出片４４３，４６３を設けなくてもよい。こうすることによって底板１２のより良好な面一性を確保することができる。
【図面の簡単な説明】
【００９７】
【図１】本発明に係る段ボール箱の一実施形態を示す斜視図であり、（イ）は、底板および天板が開放された状態、（ロ）は、底板および天板が閉止された状態をそれぞれ示している。
【図２】展開紙の一実施形態を示す展開図である。
【図３】六角筒部１１を形成させるために展開紙を縦折り線に沿って折り畳む状態を示す斜視図であり、（イ）は、展開紙が第３縦折り線および第６縦折り線のそれぞれに沿って略９０°ずつ折り曲げられた状態、（ロ）は、展開紙が第３縦折り線および第６縦折り線に沿って略１８０°ずつ折り曲げられることにより扁平な六角筒部が形成された状態をそれぞれ示している。
【図４】段ボール箱の組み付け処理を説明するための底板側から見た段ボール箱の斜視図であり、（イ）は、六角筒部が仕上がった状態、（ロ）は、第１および第３底板フラップ並びに第５底板フラップが六角筒部の内方に向けて９０°折り曲げられた状態、（ハ）は、第４および第６底板フラップがそれぞれ対応した第３および第１底板フラップに折り重ねられた状態、（ニ）は、第２底板フラップが折られて先端の短尺矩形部が第５底板フラップの矩形部の裏面側に潜り込まされた状態をそれぞれ示している。
【図５】段ボール箱の蓋体の閉止作業を説明するための斜視図であり、（イ）は、蓋体が閉止される前の状態、（ロ）は、第１および第２連結部がそれぞれ切断された状態、（ハ）は、蓋体が閉止された状態をそれぞれ示している。
【図６】段ボール箱において六角形を呈した蓋体の一対の対向辺が他の辺より長く設定されている理由を説明するための説明図である。
【図７】本発明に係る段ボール箱の他の実施形態に使用される展開紙の他の実施形態を示す展開図である。
【符号の説明】
【００９８】
１０，１０′  段ボール箱          １１  六角筒部
１１１〜１１６  第１〜第６筒壁    １２  底板
１２１〜１２６  第１〜第６底板片  １３  蓋体
１３１  〜１３６  第１〜第６蓋片  ２０  展開紙
２１  縦折り線（折り線）
２１１〜２１６  第１〜第６縦折り線（第１〜第６折り線）
２２  横折り線                    ２２１  第１横折り線
２２２  第２横折り線              ２３  扁平中間体
２４  差込み隙間                  ３０  帯状部
３１〜３６  第１〜第６区分帯部    ４０  底板形成部
４１，４１′  第１底板フラップ（第１底フラップ）
４１１  斜辺縁部                  ４１２  三角突起（干渉部）
４１３  縁面                      ４１３′  左縁面
４２  第２底板フラップ（第２底フラップ）
４２１  長尺矩形部                ４２２  台形部
４２３  短尺矩形部
４３，４３′  第３底板フラップ（第３底フラップ）
４３１  斜辺縁部                  ４３２  三角突起
４３３  縁面                      ４３３′  右縁面
４４，４４′  第４底板フラップ（第４底フラップ）
４４１  第１台形部                ４４２  第２台形部
４４３  三角突出片                ４４４  傾斜端縁
４５  第５底板フラップ（第５底フラップ）
４５１  矩形部                    ４５２  四角突片
４６  第６底板フラップ（第６底フラップ）
４６１  第１台形部                ４６２  第２台形部
４６３  三角突出片                ５０  蓋体形成部
５１  第１蓋フラップ              ５２  第２蓋フラップ
５２１  第１易曲折三角部          ５２２  第１切込み線
５２３  第１連結部（易離間性の連結部）
５３  第３蓋フラップ              ５４  第４蓋フラップ
５５  第５蓋フラップ              ５５１  第２易曲折三角部
５５２  第２切込み線              ５５３  第２連結部（易離間性の連結部）
５６  第６蓋フラップ
【図１】
2006089049.tif 000003
【図２】
2006089049.tif 000004
【図３】
2006089049.tif 000005
【図４】
2006089049.tif 000006
【図５】
2006089049.tif 000007
【図６】
2006089049.tif 000008
【図７】
2006089049.tif 000009